(57)【要約】【課題】この発明は、操作キーの効率的な兼用化により、小型でしかも多機能化を実現し得る放送受信装置及び放送受信方法を提供することを目的とする。【解決手段】受信したデータ放送コンテンツに基づいて表示されたメニューから所望の選択肢を選定するための第１のキー１９ｅ〜１９ｉにより、データ放送の受信モードから記録媒体２２，３０の再生モードに切り替えた状態で、記録媒体２２，３０の再生を制御する。【選択図】    図４
2004254118.tif 000002
【特許請求の範囲】
【請求項１】
受信したデータ放送コンテンツに基づいてメニューを表示する受信手段と、
この受信手段で表示されたメニューから所望の選択肢を選定するための第１のキーと、
記録媒体からデータを再生して表示する再生手段と、
前記データ放送の受信モードと前記記録媒体の再生モードとを切り替える第２のキーと、
この第２のキーにより前記記録媒体の再生モードに切り替えた状態で、前記第１のキーにより前記再生手段を制御する制御手段と、
前記第２のキーによってモードが切り替えられた状態で、その切り替えられたモードを表示するモード表示手段とを具備してなることを特徴とする放送受信装置。
【請求項２】
前記第１のキーは、前記メニューに表示された複数の選択肢相互間でカーソルを移動させる方向キーと、前記カーソルで選択されている選択肢を決定するための決定キーとのいずれか一方を含むことを特徴とする請求項１記載の放送受信装置。
【請求項３】
前記制御手段は、前記第２のキーにより前記記録媒体の再生モードに切り替えた状態で、前記第１のキーにより前記再生手段を再生状態または一時停止状態に制御することを特徴とする請求項１記載の放送受信装置。
【請求項４】
前記第２のキーにより、前記データ放送の受信モードから前記記録媒体の再生モードに切り替えられた状態で、前記記録媒体から再生するコンテンツを選択するための選択メニューを表示する再生コンテンツ選択手段を具備してなることを特徴とする請求項１記載の放送受信装置。
【請求項５】
前記モード表示手段は、第２のキーにより、前記記録媒体の再生モードから前記データ放送の受信モードに切り替えられた状態で、前記データ放送コンテンツの表示に重ねてデータ放送の受信モードに切り替えられたことを示すメッセージを表示することを特徴とする請求項１記載の放送受信装置。
【請求項６】
前記モード表示手段は、第３のキーを操作することにより現在のモードを表示させることを特徴とする請求項１記載の放送受信装置。
【請求項７】
前記モード表示手段は、メニューキーを操作して表示されたメニューから現在のモードを表示させるための項目を選択することを特徴とする請求項１記載の放送受信装置。
【請求項８】
前記モード表示手段は、前記データ放送の受信モードを表示する場合、放送チャンネル、タイトル、放送時間及び番組情報のいずれかを表示することを特徴とする請求項１記載の放送受信装置。
【請求項９】
前記モード表示手段は、前記記録媒体の再生モードを表示する場合、記録媒体、タイトル、記録日及び再生時間のいずれかを表示することを特徴とする請求項１記載の放送受信装置。
【請求項１０】
受信したデータ放送コンテンツに基づいて表示されたメニューから、第１のキーを用いて所望の選択肢を選定する工程と、
前記データ放送の受信モードから第２のキーを用いて記録媒体の再生モードに切り替える工程と、
前記記録媒体の再生モードに切り替えた状態で、前記第１のキーにより前記記録媒体の再生を制御する工程と、
前記第２のキーによってモードが切り替えられた状態で、その切り替えられたモードを表示する工程とを有することを特徴とする放送受信方法。
【請求項１１】
前記第２のキーにより、前記データ放送の受信モードから前記記録媒体の再生モードに切り替えられた状態で、前記記録媒体から再生するコンテンツを選択するための選択メニューを表示する工程を有することを特徴とする請求項１０記載の放送受信方法。
【請求項１２】
前記モードを表示する工程は、第２のキーにより、前記記録媒体の再生モードから前記データ放送の受信モードに切り替えられた状態で、前記データ放送コンテンツの表示に重ねてデータ放送の受信モードに切り替えられたことを示すメッセージを表示することを特徴とする請求項１０記載の放送受信方法。
【発明の詳細な説明】
【０００１】
【発明の属する技術分野】
この発明は、例えば衛星を介してデータ放送を受信する放送受信装置及び放送受信方法に関する。
【０００２】
【従来の技術】
周知のように、現在、衛星を介してテレビジョン放送、ラジオ放送及びデータ放送等を行ない、これらの放送コンテンツを携帯型の放送受信端末により移動しながら受信可能とする、いわゆるモバイルＴＶ（Ｔｅｌｅｖｉｓｉｏｎ）放送システムが開発されている。
【０００３】
ところで、このようなモバイルＴＶ放送システムに使用される放送受信端末にあっては、ユーザが手で持った状態で操作や放送コンテンツの視聴ができるように、小型軽量化を図る必要がある。
【０００４】
一方、この種の放送受信端末においては、放送受信だけでなく、内蔵された記録媒体、または、外部から装着される記録媒体に対してデータの記録再生が行なえるように、多機能化が望まれている。
【０００５】
このため、モバイルＴＶ放送システムの実用化に際しては、放送受信端末の小型化のために操作キーを設置するスペースが狭くなる反面、多機能化のために操作キーの数が増加することについての対策を施すことが肝要となる。
【０００６】
ここで、特許文献１には、多機能化するリモコン送信機の操作をユーザカスタマイズ可能として、目的とする機能のダイレクトアクセスやリモコン送信機の標準化を可能としたリモートコントロール装置が開示されている。
【０００７】
また、特許文献２には、ハイパーテキスト形式の文書を表示するブラウザ機能と、ビデオＣＤの再生を行なうビデオＣＤプレーヤ機能とを兼ね備えた、復号機器において、ユーザの操作負担を軽減するシステムが開示されている。
【０００８】
さらに、特許文献３には、リモコン装置に、通常のリモコン操作部に加え、映像等を無線で伝送する送受信部、映像等の呼出機能を選択する呼出キー、呼び出された映像等を表示する表示装置を内蔵させる構成が開示されている。
【０００９】
しかしながら、これらの特許文献１乃至３には、いずれも、衛星放送を受信する携帯型の放送受信端末を対象とすることや、この放送受信端末に対して、上述した操作キーの設置スペースと操作キーの増加との問題について対策を施すことについては、何らの記載もなされていないものである。
【００１０】
【特許文献１】
特開２０００−１９７１６２号公報
【００１１】
【特許文献２】
特開平１０−１１２８８６号公報
【００１２】
【特許文献２】
特開平１１−６９４６３号公報
【００１３】
【発明が解決しようとする課題】
そこで、この発明は上記事情を考慮してなされたもので、操作キーの効率的な兼用化により、小型でしかも多機能化を実現し得る放送受信装置及び放送受信方法を提供することを目的とする。
【００１４】
【課題を解決するための手段】
この発明に係る放送受信装置は、受信したデータ放送コンテンツに基づいてメニューを表示する受信手段と、この受信手段で表示されたメニューから所望の選択肢を選定するための第１のキーと、記録媒体からデータを再生して表示する再生手段と、データ放送の受信モードと記録媒体の再生モードとを切り替える第２のキーと、この第２のキーにり記録媒体の再生モードに切り替えた状態で、第１のキーにより再生手段を制御する制御手段と、第２のキーによってモードが切り替えられた状態で、その切り替えられたモードを表示するモード表示手段とを備えている。
【００１５】
また、この発明に係る放送受信方法は、受信したデータ放送コンテンツに基づいて表示されたメニューから、第１のキーを用いて所望の選択肢を選定する工程と、データ放送の受信モードから第２のキーを用いて記録媒体の再生モードに切り替える工程と、記録媒体の再生モードに切り替えた状態で、第１のキーにより記録媒体の再生を制御する工程と、第２のキーによってモードが切り替えられた状態で、その切り替えられたモードを表示する工程とを有している。
【００１６】
上記のような構成及び方法によれば、受信したデータ放送コンテンツに基づいて表示されたメニューから所望の選択肢を選定するための第１のキーにより、データ放送の受信モードから記録媒体の再生モードに切り替えた状態で、記録媒体の再生を制御するようにしたので、操作キーの効率的な兼用化により、小型でしかも多機能化を実現することが可能となる。
【００１７】
【発明の実施の形態】
以下、この発明の第１の実施の形態について図面を参照して詳細に説明する。図１は、この第１の実施の形態で説明するモバイルＴＶ放送システムを概略的に示している。
【００１８】
すなわち、放送局１１から送信された放送コンテンツは、衛星１２を介してユーザの所持する携帯型の放送受信端末１３に受信されることにより、ユーザの視聴に供される。
【００１９】
また、このモバイルＴＶ放送システムでは、衛星１２からの放送電波を、ギャップフィラー１４を介して、例えば屋内や地下等の衛星１２からの放送電波が届かない場所に存在する放送受信端末１３に供給している。
【００２０】
図２は、上記放送受信端末１３の外観を示している。すなわち、この放送受信端末１３は、薄厚の直方体状に形成された本体１５を備えている。この本体１５の長手方向の一端部は、その一方の平面１５ａの厚みが階段状に増加して電池収納部１６となされている。
【００２１】
また、本体１５の一方の平面１５ａのうち、電池収納部１６を除く部分は、薄厚の直方体状に形成されたカバー体１７によって開閉される。この場合、本体１５の一方の平面１５ａのうち、電池収納部１６に繋がる一方の周縁部分に、カバー体１７の１つの周縁部分が回動自在に支持されている。
【００２２】
これにより、カバー体１７は、本体１５の一方の平面１５ａのうち、電池収納部１６を除く部分を覆う閉位置と、図２に示すように、本体１５の一方の平面１５ａから所望の角度で起立する開位置とを取り得ることになる。
【００２３】
ここで、上記カバー体１７のうち、本体１５の一方の平面１５ａに対向する平面１７ａには、映像表示部としての液晶パネル１８が設置されている。また、本体１５の一方の平面１５ａのうち、電池収納部１６を除く部分には、後述する複数の操作キーを有する操作部１９が設置されている。
【００２４】
この場合、上記操作部１９は、本体１５の一方の平面１５ａのうち、カバー体１７を支持している周縁部分と反対側の周縁部分に近い領域に設置される。換言すれば、操作部１９は、本体１５の一方の平面１５ａのうち、カバー体１７を支持している周縁部分から所定間隔離れた領域に設置される。
【００２５】
そして、本体１５には、その一方の平面１５ａのうち、カバー体１７を支持している周縁部分に近い領域に、ほぼ四角形の平板状に形成された２つのアンテナ２０ａ，２０ｂが埋設されている。
【００２６】
また、本体１５には、その電池収納部１６が形成されている側と反対側の側面１５ｂに、スリット状のメモリカード装着部２１が形成されている。このメモリカード装着部２１は、携帯用の記録媒体として、カード状のケースに半導体メモリを内蔵してなるメモリカード２２を着脱可能としている。
【００２７】
図３は、上記放送受信端末１３の信号処理系を示している。すなわち、この放送受信端末１３は、２．６ＧＨｚの放送電波を安定に受信するために最大３ｄＢ以上の利得を得ることが可能なダイバーシティ受信方式を採用しているため、上記した２つのアンテナ２０ａ，２０ｂを備えている。
【００２８】
この２つのアンテナ２０ａ，２０ｂで受信された放送信号は、それぞれ、ＲＦ（Ｒａｄｉｏ  Ｆｒｅｑｕｅｎｃｙ）モジュール部２３に供給されて加算された後、選局処理、ＣＤＭ（Ｃｏｄｅ  Ｄｉｖｉｓｉｏｎ  Ｍｕｌｔｉｐｌｅｘ）復調処理及び認証処理等が施される。
【００２９】
そして、このＲＦモジュール部２３から出力された放送信号は、デコード処理部２４に供給されてＭＰＥＧ（Ｍｏｖｉｎｇ  Ｐｉｃｔｕｒｅ  Ｅｘｐｅｒｔｓ  Ｇｒｏｕｐ）４規格のデコード処理が施される。
【００３０】
また、このデコード処理部２４は、デコード処理後の音声信号をアナログ化して音声出力端子２５を介して外部に出力可能としている。さらに、このデコード処理部２４は、デコード処理後の映像信号をグラフィック処理部２６に出力している。
【００３１】
このグラフィック処理部２６は、入力された映像信号に所定のグラフィック処理を施して、アナログ化した後、液晶パネル１８に出力して映像表示させるとともに、映像出力端子２７を介して外部に出力可能としている。
【００３２】
上記した一連の受信動作は、例えばＣＰＵ（Ｃｅｎｔｒａｌ  Ｐｒｏｃｅｓｓｉｎｇ  Ｕｎｉｔ）等でなるシステムコントローラ２８によって統括的に制御されている。このシステムコントローラ２８は、上記操作部１９から得られる操作情報を受けて、ユーザの要求する動作状態が実現されるように、各部２３，２４，２６を制御している。
【００３３】
この場合、システムコントローラ２８は、例えば不揮発性メモリ等でなる第１の記憶部２９に格納された制御プログラムや各種の設定値等に基づいて、また、この第１の記憶部２９をワークエリアとして、各部２３，２４，２６の制御を行なっている。
【００３４】
また、上記システムコントローラ２８は、デコード処理部２４で得られたデジタル音声信号と、グラフィック処理部で得られたデジタル映像信号とを、本体１５に内蔵された記録媒体である第２の記憶部３０に対して、記録再生することができる。この第２の記憶部３０は、例えば３２Ｍバイトのフラッシュメモリ等で構成される。
【００３５】
さらに、上記システムコントローラ２８は、デコード処理部２４で得られたデジタル音声信号と、グラフィック処理部２６で得られたデジタル映像信号とを、メモリカード装着部２１に装着されたメモリカード２２に対して、記録再生することができる。
【００３６】
図４は、上記操作部１９に設置された複数の操作キーのうち、主要なものを示している。すなわち、符号１９ａは受信チャンネルの番号を大きい方に切り替えて行くチャンネルアップキー、符号１９ｂは受信チャンネルの番号を小さい方に切り替えて行くチャンネルダウンキーである。符号１９ｃは音量を増加させて行くボリウムアップキー、符号１９ｄは音量を減少させて行くボリウムダウンキーである。
【００３７】
また、符号１９ｅは上方向キー、符号１９ｆは下方向キー、符号１９ｇは左方向キー、符号１９ｈは右方向キー、符号１９ｉは決定キーである。さらに、符号１９ｊは早戻しキー、符号１９ｋは早送りキーである。そして、符号１９ｌは表示キー、符号１９ｍはモード切替キー、符号１９ｎは記録キー、符号１９ｏは停止キーである。
【００３８】
ここで、上記システムコントローラ２８は、モード切替キー１９ｍが操作される毎に、衛星放送を受信する受信機モードと、メモリカード２２または第２の記憶部３０からデータを再生する再生機モードとに、交互に切り替えられる。
【００３９】
そして、このシステムコントローラ２８は、受信機モードに設定された場合、上記決定キー１９ｉを本来の決定キーとして認識し、再生機モードに設定された場合、再生キー及び一時停止キーとして認識する。
【００４０】
今、受信機モードであるとすると、システムコントローラ２８は、アンテナ２０ａ，２０ｂで受信した放送信号に基づいて、図５（ａ）に示すように、液晶パネル１８に映像を表示させる。
【００４１】
この場合、システムコントローラ２８は、記録キー１９ｎが操作されると、デコード処理部２４で得られたデジタル音声信号や、グラフィック処理部２６で得られたデジタル映像信号を、メモリカード２２及び第２の記憶部３０のいずれか一方、または、両方に記録させることができる。この記録媒体の選択は、別途キー操作により行なわれる。
【００４２】
また、システムコントローラ２８は、データ放送が受信され、その放送コンテンツによって、液晶パネル１８に複数の選択肢を有するメニューが表示された場合、ユーザが、上方向キー１９ｅ、下方向キー１９ｆ、左方向キー１９ｇ、右方向キー１９ｈを操作することにより、複数の選択肢相互間でカーソルを移動させて所望の選択肢を選択可能とする。
【００４３】
その後、システムコントローラ２８は、ユーザが決定キー１９ｉを操作することにより、データ放送されたコンテンツの中から、ユーザの決定した選択肢に対応するコンテンツを選定し、ユーザに視聴させる。
【００４４】
このような受信機モードにおいて、モード切替キー１９ｍが操作されると、システムコントローラ２８は、再生機モードとなり、図５（ｂ）に示すような、記録コンテンツ選択メニューを液晶パネル１８に表示させる。
【００４５】
この記録コンテンツ選択メニューには、再生機モードに切り替えられたこと、現在の年月日、曜日、時間等の情報が表示される。なお、再生機モードであることは、文字ではなくマークを表示させても良い。
【００４６】
また、記録コンテンツ選択メニューでは、再生する記録媒体が、メモリカード２２のような外部メモリか、第２の記憶部３０のような内部メモリかを、ユーザに選定させている。
【００４７】
この選定は、ユーザが左方向キー１９ｇまたは右方向キー１９ｈを操作して、カーソルＫ１を「外部メモリ」か「内部メモリ」の位置に移動させることによって行なわれる。
【００４８】
そして、例えばカーソルＫ１を「外部メモリ」の位置に移動させ、所定時間移動させないでいると、メモリカード２２に記録されているコンテンツＡ，Ｂ，Ｃが一覧表示される。
【００４９】
次に、ユーザは、上方向キー１９ｅまたは下方向キー１９を操作して、カーソルＫ２を所望のコンテンツＡ，Ｂ，Ｃの位置に移動させる。そして、例えばカーソルＫ２を「コンテンツＢ」の位置に移動させ、決定キー１９ｉを操作すると、システムコントローラ２８は、再生機モードで停止または一時状態では決定キー１９ｉを再生キーと認識するので、メモリカード２２からコンテンツＢを読み出して、図５（ｃ）に示すように、液晶パネル１８に表示させる。
【００５０】
このような再生機モードにおいて、再度、モード切替キー１９ｍが操作されると、システムコントローラ２８は、受信機モードとなり、図５（ｄ）に示すように、液晶パネル１８に放送コンテンツに重ねて「受信機モードに切り替わりました」のメッセージを所定時間表示させた後、図５（ａ）に示した通常の放送コンテンツの表示状態となる。
【００５１】
なお、受信機モード及び再生機モードでは、その旨を示すメッセージやマーク等を画面に常時表示させておくことも可能である。
【００５２】
また、図５（ｃ）に示すように、再生機モードでコンテンツの再生状態では、システムコントローラ２８は、決定キー１９ｉを一時停止キーと認識する。このため、再生機モードでコンテンツの再生中に決定キー１９ｉを操作すると、システムコントローラ２８は、記録媒体からのコンテンツの再生を一時停止状態とする。この場合、液晶パネル１８には静止画面が表示される。
【００５３】
次に、受信機モードで、上記表示キー１９ｌが操作されると、システムコントローラ２８は、図６（ａ）に示すような、受信機モードであることをユーザに知らせる画面をＯＳＤ（Ｏｎ  Ｓｃｒｅｅｎ  Ｄｉｓｐｌａｙ）表示させる。
【００５４】
この画面には、受信機モードであること、現在の年月日、曜日、時間等の情報が表示されるとともに、現在受信している放送チャンネル、タイトル、放送時間、その他の番組情報等が表示される。
【００５５】
また、再生機モードで、上記表示キー１９ｌが操作されると、システムコントローラ２８は、図６（ｂ）に示すような、再生機モードであることをユーザに知らせる画面をＯＳＤ表示させる。
【００５６】
この画面には、再生機モードであること、現在の年月日、曜日、時間等の情報が表示されるとともに、現在再生している記録媒体、タイトル、記録日、再生時間等が表示される。なお、再生時間は、全再生時間の中で現在どの時点にいるかをグラフィックに表示している。
【００５７】
上記した第１の実施の形態に示される構成によれば、本来、データ放送における選択肢の選択決定に使用される決定キー１９ｉを、モード切替キー１９ｍによって再生機モードになされたときは、再生キーまたは一時停止キーとして機能するようにしたので、操作キーの効率的な兼用化を図り、小型でしかも多機能化を実現することが可能となる。
【００５８】
なお、本来、データ放送における選択肢の選択決定に使用される操作キーとして、上方向キー１９ｅ、下方向キー１９ｆ、左方向キー１９ｇ、右方向キー１９ｈを、モード切替キー１９ｍによって再生機モードになされたときに、記録媒体の再生に供する機能を有する操作キーとして兼用させることもできる。
【００５９】
ここで、上記した第１の実施の形態では、表示キー１９ｉを操作することにより、その操作された時点でのモードをユーザにＯＳＤ表示して知らせるようにしたが、表示キー１９ｉに代えてメニューキーを使用することもできる。
【００６０】
すなわち、メニューキーが操作されると、図７に示すように、液晶パネル１８にメニューが表示される。このメニューには、ＥＰＧ（Ｅｌｅｃｔｒｏｎｉｃ  Ｐｒｏｇｒａｍ  Ｇｕｉｄｅ）表示、ステータス表示、チャンネルリスト表示等の各種の項目が一覧表示されている。このとき、「ステータス表示」をカーソルＫ３で選定することにより、現在のモードをＯＳＤ表示して知らせることができる。
【００６１】
図８は、この発明の第２の実施の形態を示している。この第２の実施の形態では、第１の実施の形態のように、本体１５に対して開閉するカバー体１７を備えない放送受信端末１３を説明している。
【００６２】
すなわち、この放送受信端末１３は、薄厚の直方体状に形成された本体３１を備えている。そして、この放送受信端末１３は、通常の使用状態において、本体３１をユーザが直立させるように持って使用する。
【００６３】
この場合、本体３１の一方の平面３１ａには、上方から、液晶パネル３２及び複数の操作キーを有する操作部３３（図４参照）が設置されている。また、本体３１の最下部は、電池収納部３４となっている。
【００６４】
ここで、本体３１には、その通常の使用状態において上方を向く面３１ｂに、２つのアンテナ３５ａ，３５ｂが埋設されている。これにより、２つのアンテナ３５ａ，３５ｂに衛星１２からの放送電波が妨害なく効率的に受信されるようになる。
【００６５】
そして、この第２の実施の形態によっても、本来、データ放送の選択肢選定用に使用される操作キーを、再生機モードでは記録媒体の再生に供する機能を有する操作キーとして兼用させることで、操作キーの効率的な兼用化を図り、小型でしかも多機能化を実現することが可能となる。
【００６６】
なお、この発明は上記した各実施の形態に限定されるものではなく、この外その要旨を逸脱しない範囲で種々変形して実施することができる。また、上記した各実施の形態に示される特徴的な構成は、それぞれ矛盾の生じない範囲で任意選択的に組み合わせて実施することができることはもちろんである。
【００６７】
【発明の効果】
以上詳述したようにこの発明によれば、操作キーの効率的な兼用化により、小型でしかも多機能化を実現し得る放送受信装置及び放送受信方法を提供することができる。
【図面の簡単な説明】
【図１】この発明の第１の実施の形態を示すもので、モバイルＴＶ放送システムの概略を説明するために示す図。
【図２】同第１の実施の形態における放送受信端末の外観を説明するために示す斜視図。
【図３】同第１の実施の形態における放送受信端末の信号処理系を説明するために示すブロック構成図。
【図４】同第１の実施の形態における操作部の操作キーの一例を説明するために示す図。
【図５】同第１の実施の形態における受信機モードと再生機モードとの切り替え動作を説明するために示す図。
【図６】同第１の実施の形態における受信機モードと再生機モードとを知らせる画面を説明するために示す図。
【図７】同第１の実施の形態における受信機モードと再生機モードとを知らせる画面を表示する手段を説明するために示す図。
【図８】この発明の第２の実施の形態における放送受信端末の外観を説明するために示す斜視図。
【符号の説明】
１１…放送局、１２…衛星、１３…放送受信端末、１４…ギャップフィラー、１５…本体、１６…電池収納部、１７…カバー体、１８…液晶パネル、１９…操作部、２０ａ，２０ｂ…アンテナ、２１…メモリカード装着部、２２…メモリカード、２３…ＲＦモジュール部、２４…デコード処理部、２５…音声出力端子、２６…グラフィック処理部、２７…映像出力端子、２８…システムコントローラ、２９…第１の記憶部、３０…第２の記憶部、３１…本体、３２…液晶パネル、３３…操作部、３４…電池収納部、３５ａ，３５ｂ…アンテナ。
【図１】
2004254118.tif 000003
【図２】
2004254118.tif 000004
【図３】
2004254118.tif 000005
【図４】
2004254118.tif 000006
【図５】
2004254118.tif 000007
【図６】
2004254118.tif 000008
【図７】
2004254118.tif 000009
【図８】
2004254118.tif 000010